(57)【要約】【課題】建設工事現場において作業者の高所作業用に仮設される足場に安全対策用の巾木を取り付ける手段として活用出来る足場用巾木取付け用具を提供する。【解決手段】支柱１５に取り付けられる取付け金具１と、この取付け金具１の外側で下方に延出して巾木１４の上側辺を支柱１５との間で挟持する押え板２、及び１本の締結用ねじ３から成り、取付け金具１は、支柱１５の周面に隣接する支柱受け部４、正面板部６、及びこの両者を連結する側板部５から成り、押え板２は、正面板部６の上側を支柱１５側に延出して先端が支柱１５の周面に当接する上側板部９を上端に備えると共に正面板部６に対面する箇所に貫通孔１０を備え、取付け金具１の正面板部６には、貫通孔１０を貫通させた締結用ねじ３を螺合貫通させるための貫通ねじ孔８が設けられている。【選択図】図３
2018123507.tif 000002
【特許請求の範囲】
【請求項１】
仮設足場の足場板の側辺に沿って配置された巾木を、前記足場板の横に立設されている仮設足場用支柱に固定する足場用巾木取付け用具であって、前記支柱に取り付けられる取付け金具と、この取付け金具の外側で下方に延出して前記巾木の上側辺を前記支柱との間で挟持する押え板、及び１本の締結用ねじから成り、前記取付け金具は、前記支柱に対し横方向に嵌脱自在であって、当該支柱の周面に隣接する支柱受け部と、この支柱受け部の一端から連設されて前記支柱の横側方を延出する側板部と、この側板部の先端から連設されて前記支柱に対し前記支柱受け部とは反対側に位置する正面板部とから成り、前記押え板は、前記取付け金具の正面板部の上側を前記支柱側に延出して先端が前記支柱の周面に当接する上側板部を上端に備えると共に、前記取付け金具の正面板部に対面する箇所に設けられた貫通孔を備え、前記取付け金具の正面板部には、前記貫通孔を貫通させた前記締結用ねじを螺合貫通させるための貫通ねじ孔が設けられている、足場用巾木取付け用具。
【請求項２】
前記前記押え板の上側板部の前記支柱の周面に当接する先端は、当該支柱が嵌合する凹入円弧面に形成されている、請求項１に記載の足場用巾木取付け用具。
【請求項３】
前記取付け金具の正面板部の上側辺には、前記押え板の上側板部が上から嵌合する凹入段面が形成されている、請求項１又は２に記載の足場用巾木取付け用具。
【発明の詳細な説明】
【技術分野】
【０００１】
本発明は、建設工事現場において作業者の高所作業用に仮設される足場に安全対策用の巾木を取り付けるための取付け用具に関するものである。
【背景技術】
【０００２】
建設工事現場において作業者の高所作業用に仮設される足場には、水平に架設された足場板の側辺、特に建設構造物に隣り合う内側辺とは反対の外側辺に、当該足場板より上方に立ち上がる高さの巾木を安全対策のために取り付けることが行われているが、従来は、足場板の横に立設されている仮設足場用支柱に巾木を番線で固定しており、専用の取付け用具が考えられていなかった。
【発明の概要】
【発明が解決しようとする課題】
【０００３】
上記のように番線で巾木を仮設足場用支柱に固定する従来の方法では、手間と時間がかかり、改善策が望まれていた。
【課題を解決するための手段】
【０００４】
本発明は、上記のような従来の問題点を解消することのできる足場用巾木取付け用具を提案するものであって、本発明に係る足場用巾木取付け用具は、後述する実施例との関係を理解し易くするために、当該実施例の説明において使用した参照符号を括弧付きで付して示すと、仮設足場の足場板(11)の側辺に沿って配置された巾木(14)を、前記足場板(11)の横に立設されている仮設足場用支柱(15)に固定する足場用巾木取付け用具(16)であって、前記支柱(15)に取り付けられる取付け金具(1)と、この取付け金具(1)の外側で下方に延出して前記巾木(14)の上側辺を前記支柱(15)との間で挟持する押え板(2)、及び１本の締結用ねじ(3)から成り、前記取付け金具(1)は、前記支柱(15)に対し横方向に嵌脱自在であって、当該支柱(15)の周面に隣接する支柱受け部(4)と、この支柱受け部(4)の一端から連設されて前記支柱(15)の横側方を延出する側板部(5)と、この側板部(5)の先端から連設されて前記支柱(15)に対し前記支柱受け部(4)とは反対側に位置する正面板部(6)とから成り、前記押え板(2)は、前記取付け金具(1)の正面板部(6)の上側を前記支柱(15)側に延出して先端が前記支柱(15)の周面に当接する上側板部(9)を上端に備えると共に、前記取付け金具(1)の正面板部(6)に対面する箇所に設けられた貫通孔(10)を備え、前記取付け金具(1)の正面板部(6)には、前記貫通孔(10)を貫通させた前記締結用ね(3)じを螺合貫通させるための貫通ねじ孔(8)が設けられた構成になっている。
【発明の効果】
【０００５】
上記本発明の足場用巾木取付け用具は、仮設足場用支柱に隣接する状態で足場板の側辺に垂直向きに配置された巾木より少し上方の位置で取付け金具を横から前記支柱に嵌合させ、当該取付け金具に前記締結用ねじによって支持されている状態の押え板の下端部を、前記支柱のある側とは反対側で前記巾木の上側辺に隣接させると共に、前記押え板の上側板部の先端を前記支柱の周面に当接させた状態で、前記締結用ねじをねじ込むことにより、上下両端が前記支柱と巾木とに当接している押え板に対して取付け金具を巾木のある側へ引き込むことが出来る。この取付け金具の引き込みにより、当該取付け金具の支柱受け部が前記支柱の周面に圧接し、当該支柱を取付け金具の支柱受け部と押え板の上側板部の先端との間で挟持させると同時に、押え板の下端部と前記支柱との間で巾木を挟持させ、結果として巾木を前記支柱に圧接固定させることが出来るのである。勿論、前記締結用ねじは、上記の巾木固定状態において前記支柱の周面から離れている長さでなければならない。
【０００６】
以上のように上記本発明の足場用巾木取付け用具によれば、取付け金具と押え板、及び１本の締結用ねじの３部品から成る極めて簡単な構造で安価に実施出来るものでありながら、１本の締結用ねじのねじ込み操作だけで、仮設足場用支柱に対する本発明用具の取付けと当該支柱に対する巾木の固定とを実現出来るという、取り扱い操作も極めて簡単なものであって、従来の番線を使用して巾木を仮設足場用支柱に固定する方法の問題点を完全に解消出来る。
【０００７】
上記本発明を実施する場合、前記押え板(2)の上側板部(9)の前記支柱(15)の周面に当接する先端を、当該支柱が嵌合する凹入円弧面(9a)に形成し、更には前記取付け金具(1)の正面板部(6)の上側辺に、前記押え板(2)の上側板部(9)が上から嵌合する凹入段面(7)を形成することにより、前記支柱(15)に対する押え板(2)の向きや位置を確定させて、より一層巾木の取付け操作を容易にすることが出来る。
【図面の簡単な説明】
【０００８】
【図１】図１は、足場用巾木取付け用具の全体を示す斜視図である。
【図２】図２Ａは、足場用巾木取付け用具の横断平面図、図２Ｂは、同縦断側面図、図２Ｃは、同一部切欠き右側面図である。
【図３】図３Ａ及び図３Ｂは、足場用巾木取付け用具の使用状態を示す一部縦断側面図である。
【図４】図４は、図３Ａに示す使用状態での一部横断平面図である。
【図５】図５Ａ及び図５Ｂは、足場用巾木取付け用具の更に別の使用状態を示す一部縦断側面図である。
【発明を実施するための形態】
【０００９】
図１〜図２Ｃにおいて、１は取付け金具、２は押え板、３は締結用ねじである。取付け金具１は、所要長さの帯状板の一端部を内側に円弧形に曲げ加工して形成した支柱受け部４と、この支柱受け部４に連なる直線状の側板部５と、この側板部５の先端側を前記支柱受け部４のある側へ直角に曲げ加工して形成した正面板部６から構成され、正面板部６の上側辺に切欠形成した凹入段面７と、正面板部６の略中央位置に設けられた貫通ねじ孔８を備えている。前記凹入段面７は、正面板部の先端近傍位置から前記側板部５に入り込んだ位置まで、この取付け金具１を形成している帯状板の長さ方向と平行な切欠きにより形成している。
【００１０】
押え板２は、取付け金具１の正面板部６の巾よりも狭い巾（正面板部６における凹入段面７の長さ程度の巾）の帯状板をＬ字形に曲げ加工したものであって、取付け金具１の正面板部６の外側（支柱受け部４のある側とは反対側）に上下方向向きに配置され、当該正面板部６の上側を、取付け金具１の支柱受け部４のある側へ延出する上側板部９を上端に備え、下端部は取付け金具１の正面板部６より下方に長く延出している。この押え板２の上端部（上側板部９との間の円弧形折曲部に入り込む位置）には、上下方向に長い貫通孔１０が設けられ、前記上側板部９の先端は、凹入円弧面９ａに形成されている。
【００１１】
締結用ねじ（ボルト）３は、取付け金具１の正面板部６に設けられた貫通ねじ孔８に対して螺合貫通させることが出来るもので、押え板２に設けられた貫通孔１０を貫通する。当該貫通孔１０は、上記のように上下方向に長いものであるから、この締結用ねじ３に対して押え板２は、当該締結用ねじ３の長さ方向に関して一定範囲内で自在に揺動させることが出来る。
【００１２】
図３Ａに示すように木製の足場板１１は、例えば足場用建て枠１２の足場板支持用横杆１３上に直接支持され、金属製の足場板で両端に係止金具を備えている足場板は、前記係止金具を足場用建て枠１２の足場板支持用横杆１３に嵌合係止させることにより、足場用建て枠１２の間で水平に支持されるが、以下は、足場用建て枠１２の足場板支持用横杆１３上に直接支持される木製の足場板１１を図示例として説明している。
【００１３】
例えば足場用建て枠１２の足場板支持用横杆１３を利用して水平に架設される足場板１１の側辺、特に建設構造物に隣り合う内側辺とは反対の外側辺に、当該足場板１１より上方に立ち上がる高さの巾木１４が、安全対策のために取り付けられる。この巾木１４は、足場用建て枠１２の足場板支持用横杆１３を支持している支柱（鋼管）１５の内側に垂直に配置されるが、足場板１１の長さ方向に隣接する２本の巾木１４は、図３Ｂに示すように、隣接する巾木端部１４ａ，１４ｂどうしが内外に重ねられる。又、図３Ａ，Ｂに示すように、巾木１４が足場板１１の側辺上面に載置される場合と、図５Ａに示すように足場板１１と支柱１５との間で足場板支持用横杆１３に巾木１４が支持される場合もあり、足場板１１と支柱１５との間の間隙が広いときには、図５Ｂに示すように、巾木１４の下端部を足場板１１の側辺に隣接させると共に当該巾木１４の上端を支柱１５に当接させるように、巾木１４を斜めに傾斜させて足場板支持用横杆１３に支持される場合もある。
【００１４】
上記何れの状態で配置された巾木１４であっても、この巾木１４は、上記構成の本発明に係る足場用巾木取付け用具１６を利用して支柱１５に固定することが出来る。具体的に説明すると、使用前の足場用巾木取付け用具１６は、締結用ねじ３を押え板２の外側から貫通孔１０に挿通させた状態で取付け金具１の貫通ねじ孔８に適当深さだけ螺合貫通させて、取付け金具１と押え板２を一体に連結した状態にある。このとき押え板２の上側板部９は、取付け金具１の正面板部６の上側辺の凹入段面７内に嵌合している。この状態の足場用巾木取付け用具１６の取付け金具１を、図３Ａ〜図５Ｂに示すように、取付け金具１の正面板部６が巾木１４の上方に位置すると共に、押え板２の下端部が巾木１４の上端付近の外側に位置するように、巾木１４よりも上方に離れた位置で支柱１５に横から嵌合させる。
【００１５】
上記のように支柱１５に対して足場用巾木取付け用具１６を配置させたならば、例えば取付け金具１の正面板部６と押え板２の上端部とを指先で挟むようにして、取付け金具１の支柱受け部４を支柱１５の周面に当接させると共に、押え板２の下端部を巾木１４の上端付近の外側に当接させる。この結果、締結用ねじ３に対して押え板２が取付け金具１の正面板部６に接近した状態になり、当該締結用ねじ３の頭部と押え板２との間に空間が生じる。この状態から締結用ねじ３をねじ込んで正面板部６の貫通ねじ孔８を支柱１５側へ螺進させ、締結用ねじ３の頭部を押え板２の外側面に当接させ、この状態から更に締結用ねじ３をねじ込むことにより、取付け金具１の正面板部６と押え板２とを互いに接近移動させると、上側板部９の凹入円弧面９ａが支柱１５の周面に圧接すると共に下端部が巾木１４の外側面に圧接した状態の押え板２に対し、取付け金具１が締結用ねじ３によって押え板２の方へ引き寄せられ、当該取付け金具１の支柱受け部４が支柱１５の周面に圧接して、足場用巾木取付け用具１６が支柱１５に対して固定されると同時に、巾木１４が押え板２によって支柱１５側へ押し付けられて固定されることになる。尚、このときに締結用ねじ３の先端が支柱１５に対して離れているように、当該締結用ねじ３の長さが決められている。
【００１６】
上記の足場用巾木取付け用具１６による巾木１４の固定作用は、固定する対象の巾木１４が、図３Ａ、図３Ｂ、図５Ａ、及び図５Ｂの何れの状態にあっても同様に行われることは明白であり、これら固定する対象の巾木１４の状態によって、支柱１５に対する取付け金具１の嵌合高さや押え板２の傾斜角度が異なるに過ぎない。
【産業上の利用可能性】
【００１７】
本発明の足場用巾木取付け用具は、建設工事現場において作業者の高所作業用に仮設される足場に安全対策用の巾木を取り付ける手段として活用出来る。
【符号の説明】
【００１８】
１    取付け金具
２    押え板
３    締結用ねじ
４    支柱受け部
５    側板部
６    正面板部
７    凹入段面
８    貫通ねじ孔
９    上側板部
９ａ    凹入円弧面
１０    上下方向に長い貫通孔
１１    足場板
１２    足場用建て枠
１３    足場板支持用横杆
１４    巾木
１５    支柱（鋼管）
１６    足場用巾木取付け用具
【図１】
2018123507.tif 000003
【図２】
2018123507.tif 000004
【図３】
2018123507.tif 000005
【図４】
2018123507.tif 000006
【図５】
2018123507.tif 000007